(57)【要約】  衛星通信システムのための装置であって、前記装置は、１または２以上のキャリアを有する信号から逆多重化された複数の周波数チャネルを監視するための手段と、干渉を有する複数の周波数チャネルのうちの少なくとも１の周波数チャネルを識別するための手段と、前記１または２以上のキャリアが再形成される前に、前記少なくとも１の識別された周波数チャネルを取り除くための手段と、を具備する。干渉を有する前記周波数チャネルを取り除くことによって、キャリアの前記信号ノイズ比が改善される。また、前記干渉がキャリア内に発生する場合、前記キャリアは、前記取り除かれた周波数チャネルが前記キャリアよりもかなり狭い限り、使用可能である。
2012520593.tif 000002
【特許請求の範囲】
【請求項１】
１または２以上のキャリアを有する信号から逆多重化された複数の周波数チャネルを監視するための手段と、
干渉を有する複数の周波数チャネルのうちの少なくとも１の周波数チャネルを識別するための手段と、
前記１または２以上のキャリアが再形成される前に、少なくとも１の識別された周波数チャネルを取り除くための手段と
を有することを特徴とする衛星通信システムのための装置。
【請求項２】
前記監視するための手段は、複数の周波数チャネルの信号レベルを監視するように構成されるとともに、前記識別するための手段は、前記少なくとも１の周波数チャネルの信号レベルが信号レベルしきい値を超えると判断することに応答して、前記少なくとも１の周波数チャネルを識別するように構成される、ことを特徴とする請求項１に記載の装置。
【請求項３】
前記識別するための手段は、スペクトル分析機能を提供する、ことを特徴とする請求項２に記載の装置。
【請求項４】
前記信号レベルしきい値は、前記１または２以上のキャリアを有する信号の予想される電力プロファイルに基づいて決定される、ことを特徴とする請求項２または３に記載の装置。
【請求項５】
前記１または２以上のキャリアを有する前記信号を受信するための受信機をさらに具備する、ことを特徴とする請求項１〜４のいずれか１項に記載の装置。
【請求項６】
前記１または２以上のキャリアの各キャリアは、前記周波数チャネルの複数の周波数チャネルに逆多重化される、ことを特徴とする請求項１〜５のいずれか１項に記載の装置。
【請求項７】
前記信号は、複数のキャリアを有する、ことを特徴とする請求項１〜６のいずれか１項に記載の装置。
【請求項８】
前記識別された少なくとも１の周波数チャネルを取り除くための手段は、前記キャリア内の干渉を取り除くために、前記１または２以上のキャリアから逆多重化された少なくとも１の周波数チャネルを取り除くように動作可能である、ことを特徴とする請求項１〜７のいずれか１項に記載の装置。
【請求項９】
前記１または２以上のキャリアは、ブロードバンドキャリアを有するとともに、複数の周波数チャネルは、前記ブロードバンドキャリアから逆多重化された多数の周波数チャネルを有し、前記取り除くための手段は、前記キャリアが再形成される前に、前記多数の周波数チャネルから少なくとも１の周波数チャネルを取り除くように構成されている、ことを特徴とする請求項８に記載の装置。
【請求項１０】
前記少なくとも１の識別された周波数チャネルを取り除くための手段は、キャリアに隣接して位置する少なくとも１の周波数チャネルを取り除くように動作可能である、ことを特徴とする請求項１〜７のいずれか１項に記載の装置。
【請求項１１】
前記少なくとも１の識別された周波数チャネルを取り除くための手段は、前記識別された少なくとも１の周波数チャネルを無効にするように構成される、ことを特徴とする請求項１〜１０のいずれか１項に記載の装置。
【請求項１２】
前記少なくとも１の周波数チャネルは、２以上の周波数チャネルを有する、ことを特徴とする請求項１〜１１のいずれか１項に記載の装置。
【請求項１３】
前記複数の周波数チャネルを監視するための手段と、前記少なくとも１の周波数チャネルを識別するための手段と、前記少なくとも１の周波数チャネルを取り除くための手段と、を有するデジタルプロセッサ装置を具備する、ことを特徴とする。
【請求項１４】
前記デジタルプロセッサ装置は、前記信号を前記複数の周波数チャネルに逆多重化するためのデマルチプレクサと、前記１または２以上のキャリアを再形成するためのマルチプレクサとを有する、ことを特徴とする請求項１３に記載の装置。
【請求項１５】
前記１または２以上のキャリアの各キャリアを複数の周波数チャネルに逆多重化するためのデマルチプレクサと、
前記周波数チャネルを処理するためのデジタル信号プロセッサと、
前記処理されたチャネルから前記キャリアを再構成するためのマルチプレクサと、
をさらに有することを特徴とする請求項１〜１２のいずれか１項に記載の装置。
【請求項１６】
前記デジタル信号プロセッサは、監視するための手段と、識別するための手段と、前記識別された少なくとも１の周波数チャネルを取り除くための手段と、を有することを特徴とする請求項１５に記載の装置。
【請求項１７】
請求項１〜１６のいずれか１項に記載の装置を具備する衛星通信システム。
【請求項１８】
１または２以上のキャリアを有する信号から逆多重化された複数の周波数チャネルを監視するためのステップと、
干渉を有する少なくとも１の周波数チャネルを識別するためのステップと、
前記１または２以上のキャリアを再形成する前に、前記識別された少なくとも１の周波数チャネルを取り除くためのステップと
を有する衛星通信システム内の干渉除去方法。
【請求項１９】
干渉を有する少なくとも１の周波数チャネルを識別するステップは、前記少なくとも１の周波数チャネルの前記信号レベルが信号レベルしきい値を超えるかどうかを判断するステップを有する、ことを特徴とする請求項１８に記載の方法。
【請求項２０】
前記信号レベルしきい値は、前記１または２以上のキャリアを有する前記信号の予想される電力プロファイルに基づいて決定される、ことを特徴とする請求項１９に記載の方法。
【請求項２１】
前記１または２以上のキャリアは、複数のキャリアを有する、ことを特徴とする請求項１８〜２０のいずれか１項に記載の方法。
【請求項２２】
前記１または２以上のキャリアを有する前記信号を、衛星通信システムの受信機内で受信するステップを更に有し、
前記１または２以上のキャリアの各キャリアは、前記複数の周波数チャネルの多数の周波数チャネルに逆多重化される
ことを特徴とする請求項１８〜２１のいずれか１項に記載の方法。
【請求項２３】
前記識別された少なくとも１の周波数チャネルを取り除くステップは、前記キャリア内で干渉を取り除くために、前記１または２以上のキャリアのうちのキャリアから逆多重化された少なくとも１の周波数キャリアを取り除くステップを有する、ことを特徴とする請求項２２に記載の方法。
【請求項２４】
前記複数の周波数チャネルの多数の周波数チャネルに前記１または２以上のキャリアの各キャリアを逆多重化するステップと、
前記周波数チャネルを処理するステップと、
干渉を有する前記識別された少なくとも１の周波数チャネルが取り除かれた後、前記処理された周波数チャネルから前記キャリアを再形成するステップと
をさらに有することを特徴とする請求項１８〜２３のいずれか１項に記載の方法。
【発明の詳細な説明】
【技術分野】
【０００１】
本発明は、干渉を受ける信号の処理に関する。
【背景技術】
【０００２】
今日、衛星通信システムは、全体的なグローバル通信基盤の重要な部分である。衛星通信に頼れば頼るほど、干渉と盗用から衛星通信を守ることがより重要にもなっている。干渉信号は、衛星通信を劣化、または妨害する可能性がある。ある干渉は、偶然であり、かつ欠陥のある地上装置によるものである。他方の干渉は、意図的であり、かつ悪意のあるものである。一般に、干渉を引き起こすもの(interferer)として同一帯域を占有しているキャリアは、使用できず、かつ加えて、前記干渉を引き起こすものは、異なる周波数を占有するキャリアからダウンリンクパワーを「奪う」だろう。加えて、干渉は、キャリアの信号ノイズ比を減少させる場合がある。したがって、商業衛星のオペレータから不必要な信号の除去を可能にする衛星通信システムについての要求がある。
【０００３】
衛星通信システムはますます、アナログ領域およびデジタル領域の両方で信号を処理している。信号は多くの場合、デジタル化される前に、アナログ領域でフィルタリングされるとともに前処理される。デジタル領域では、信号は複数の周波数チャネルに逆多重化(demultiplexed)され、処理されるとともに別々に送信されうる。周波数チャネルは、アナログ領域に戻る変換の前に、要求されたダウンリンク信号を形成するために再度多重化される。ブロードバンドキャリアは、逆多重化されるとともに、複数の狭周波数チャネル成分として処理される。
本発明は、これに関連してなされた。
【発明の概要】
【課題を解決するための手段】
【０００４】
本発明によれば、衛星通信システムのための装置が提供され、前記装置は、１または２以上のキャリアを有する信号から逆多重化された複数の周波数チャネルを監視する手段と、干渉を有する複数の周波数チャネルうちの少なくとも１の周波数チャネルを識別する手段と、１または２以上のキャリアが再形成される前に、識別された少なくとも１の周波数チャネルを取り除く手段と、を有する。
【０００５】
監視する手段は、複数の周波数チャネルの信号レベルを監視するように構成され、少なくとも１の周波数チャネルを識別する手段は、少なくとも１の周波数チャネルの信号レベルが信号レベルしきい値を超える場合、少なくとも１の周波数チャネルが干渉を有することを決定するように構成される。識別する手段は、スペクトル分析機能を提供する。前記信号レベルしきい値は、１または２以上のキャリアを有する信号の予想される電力プロファイルに基づいて決定される。
【０００６】
装置は、１または２以上のキャリアを有する信号を受信するための受信機をさらに具備する。信号は、複数のキャリアを有する。１または２以上のキャリアの各々は、それぞれ前記周波数チャネルの複数の周波数チャネルに逆多重化される。各キャリアは、別々の通信チャネルに対応し、かつ各通信チャネルは、結果的に複数の周波数チャネルとして処理される。
【０００７】
少なくとも１の識別された周波数チャネルを取り除く手段は、前記キャリア内で干渉を取り除くために、前記１または２以上のキャリアのうちのキャリアから逆多重化された少なくとも１の周波数チャネルを取り除くように動作可能である。１または２以上のキャリアは、ブロードバンドキャリアを有し、かつ複数の周波数チャネルは、前記ブロードバンドキャリアから逆多重化された複数の周波数チャネルを有し、取り除く手段は、キャリアが再形成される前に、前記複数の周波数チャネルから少なくとも１の周波数チャネルを取り除くように構成されている。
【０００８】
少なくとも１の識別された周波数チャネルを取り除く手段は、キャリアに隣接して位置する少なくとも１の周波数チャネルを取り除くように動作可能である。
【０００９】
識別された少なくとも１の周波数チャネルを取り除く手段は、識別された１の周波数チャネルを無効(null)にするように構成される。
【００１０】
少なくとも１の周波数チャネルは、１以上の周波数チャネルを有する。
【００１１】
従って、本発明は、干渉信号を取り除く方法を提供する。前記干渉信号がキャリア内にあるというケースでは、前記取り除かれた周波数チャネルが、キャリアよりはるかに狭い場合、キャリアは今までどおり利用可能である。従って、本発明は、キャリアが狭帯域干渉の存在の中で機能することを可能にする。直接的干渉除去と同様、アプローチとしては、ダウンリンクパワーを奪わないようにするとともに、キャリアの信号ノイズ比を改善することである。
【００１２】
前記装置は、複数の周波数チャネルを監視する手段と、少なくとも１の周波数チャネルを識別する手段と、少なくとも１の周波数チャネルを取り除く手段と、を有するデジタルプロセッサ装置を具備する。前記デジタルプロセッサ装置は、信号を複数の周波数チャネルに逆多重化するデマルチプレクサ(demultiplexer)と、１または２以上のキャリアを再形成するマルチプレクサ(multiplexer)と、を具備する。
【００１３】
デマルチプレクサは、１または２以上のキャリアのうちの単一のキャリアを複数の周波数チャネルに逆多重化するように構成されている。前記装置は、複数の周波数チャネルを処理するためのデジタル信号プロセッサをさらに具備するとともに、前記マルチプレクサは、処理されたチャネルからキャリアを再形成するように構成されている。監視する手段と、識別する手段と、識別された少なくとも１の周波数チャネルを取り除く手段は、前記デジタル信号プロセッサ中で提供される。
【００１４】
本発明によれば、また上述の装置を具備する衛星通信システムを提供する。
【００１５】
本発明によれば、１または２以上のキャリアから逆多重化された複数の周波数チャネルを監視するステップと、干渉を有する少なくとも１の周波数チャネルを識別するステップと、１または２以上のキャリアが再形成される前に、識別された少なくとも１の周波数チャネルを取り除くステップと、を有する衛星通信システム内の干渉を取り除く方法をまた提供する。
【００１６】
干渉を有する少なくとも１の周波数チャネルを識別するステップは、周波数チャネルの信号レベルが信号レベルしきい値を超えているかどうかを判断するステップを有する。信号レベルしきい値は、１または２以上のキャリアを有する信号の予想される電力プロファイルに基づいて判断される。
【００１７】
前記方法は、前記１または２以上のキャリアを有する信号を衛星通信システムの受信機で受信するステップをさらに有するとともに、前記１または２以上のキャリアの各キャリアは、前記複数の周波数チャネルの別々の複数の周波数に逆多重化される。識別された少なくとも１の周波数チャネルを取り除くステップは、キャリア内で干渉を取り除くために、前記１または２以上のキャリアのうちのキャリアから逆多重化された少なくとも１の周波数チャネルを取り除くステップを有する。１または２以上のキャリアは、複数のキャリアを有する。
【００１８】
前記方法はまた、複数の周波数チャネルの多数の周波数チャネルにキャリアを逆多重化するステップと、周波数チャネルを処理するステップと、干渉を有する識別された周波数チャネルが取り除かれた後、処理された周波数チャネルからキャリアを再形成するステップと、を有する。
【００１９】
本発明の実施形態は、例として、添付図面の図１から図８を参照して、次に説明される。
【図面の簡単な説明】
【００２０】
【図１】衛星通信システムの概略的なブロック図である。
【図２】図２の(a)および(b)は、どのように干渉を有する信号が衛星通信システム内でフィルタリングされ、かつどのようにダウンコンバートされるかを概略的に説明する図である。
【図３】図１のデジタルプロセッサの概略的なブロック図である。
【図４】図４の(a)、(b)、(c)、および(d)は、どのように図３のデジタルプロセッサ内で逆多重化され、かつ多重化されるかを概略的に説明する図である。
【図５】どのように図３のデジタルプロセッサ内でブロードバンドキャリアが処理されるかを概略的に説明する図である。
【図６】図６の(a)および(b)は、どのように図３のデジタルプロセッサ内でキャリア内の干渉信号が取り除かれるかを説明する図である。
【図７】図７の(a)および(b)は、どのように図３のデジタルプロセッサ内でキャリア間の干渉信号が取り除かれうるかを説明する図である。
【発明を実施するための形態】
【００２１】
図１を参照すると、衛星通信システム１は、アップリンクビームを受信するための受信アンテナサブシステム２と、アップリンクビーム中で受信された信号を増幅するための低ノイズ増幅器３と、信号を処理するための統合プロセッサ４と、処理された信号を増幅するための高パワー増幅器５と、ダウンリンクビーム中の信号を送信するための送信アンテナサブシステム６と、を具備している。受信アンテナサブシステム２は、複数の加入者の所在地からの複数のビームを受信するように構成されるか、またはゲートウェイの地上局からの単一ビームを受信するように構成されてもよい。同様に、送信アンテナサブシステム６は、複数の加入者の所在地へ複数のビームを送信するように構成されるか、またはゲートウェイの地上局に単一ビームを送信するように構成されてもよい。衛星通信システムは、ビームフォーミングネットワークアーキテクチャ、または空間的スイッチングアーキテクチャ（spatially switched architecture）に基づいてもよい。図１は、単なる概略として実現されるべきであり、かつ受信サブシステム２と送信サブシステム６とが、受信ビームと送信ビームの両方に使用される単一アンテナを有する単一サブシステムとして実現されてもよい。
【００２２】
統合プロセッサ４は、アナログプリプロセッサ７と、アナログデジタル変換器８と、デジタルプロセッサ９と、デジタルアナログ変換器１０と、アナログポストプロセッサ１１と、を具備している。アナログプリプロセッサは、受信した放射（radiation）から所望の信号をフィルタ出力するために、かつ信号がデジタルプロセッサによって処理されうる周波数に所望の信号をダウンコンバートするために提供される。アナログデジタル変換器８は、信号をデジタル化するために提供されるとともに、デジタルアナログ変換器１０は、デジタル信号をアナログ領域に戻すように変換するために提供され、かつポストプロセッサ１１は、デジタルアナログ変換後に、不要な虚像を取り除くとともに、ダウンリンクビームに適切な周波数に信号をアップコンバートするために提供される。デジタルプロセッサは、以降に詳細に記載する。統合プロセッサ４はまた、デジタルプロセッサ９に接続された制御インターフェースを具備する。制御インターフェース１２は、地上からデジタルプロセッサ９を制御可能にするために、地上局（図示せず）へのインターフェースを提供する。
【００２３】
図２ａおよび図２ｂを参照すると、入力放射の周波数範囲およびダウンコンバートされた所望の信号が示されている。入力放射は、所望の信号１２と、不要な信号１３ａ・１３ｂとを有している。アナログプリプロセッサは、例えばバンドパスフィルタを使用して、所望の信号１２をフィルタ出力する。フィルタリングした信号は、図２ｂに示されるように、より低い周波数にダウンコンバートされる。所望の信号は、複数のキャリア１４を有する。キャリアは、キャリアによって通信される情報のタイプと量によって、異なる幅を有する。受信した放射はまた、干渉信号１５を有する。干渉中の信号は、図２ａおよび図２ｂに示されるように、ブロードバンドキャリア内の帯域内の干渉信号である。本発明によれば、干渉信号は、以降により詳細に記載されるように、デジタルプロセッサ９内で取り除かれうる。
【００２４】
図３を参照すると、デジタルプロセッサ９は、複数の周波数チャネルの中に所望の信号を分離するためのデマルチプレクサ１６と、周波数チャネルを別々に処理するための信号プロセッサ１７と、別々の周波数チャネルを再度一緒になるように多重化するための周波数マルチプレクサ１８と、を具備する。デマルチプレクサ１６は、アナログデジタル変換器８から信号を受信するとともに、マルチプレクサ１８は、デジタルアナログ変換器１０に多重化した信号を転送する。また、信号プロセッサ１７は、以降により詳細に記載されるように、干渉信号を取り除くための干渉除去ユニット１９を具備する。
【００２５】
図４ａから４ｄを参照すると、デマルチプレクサ１６は、複数の周波数チャネル２０にデジタル化された信号を分割する複数のフィルタを有する。例えば、デマルチプレクサは、図４ａおよび図４ｂに示されるように、等しい幅のＫ個の周波数チャネル２０に信号を分離する。信号が分離されたチャネルの数は、アプリケーションに依存するが、いくつかのシステムでは、1000チャネル程度である。もちろん、チャネルの数は、1000チャネルよりも少なくまたは多くすることもできる。デマルチプレクサ１６、複数の周波数チャネル２０にデジタル信号を分割するとき、狭帯域の干渉信号１５は、図４ａで示されるように１または複数の周波数チャネル２０に分離される。信号プロセッサ１７は、別々に周波数チャネル内の信号を処理する。例えば、信号プロセッサ１７は、周波数変換およびデジタルビームフォーミングを実行する。信号プロセッサ１７は、図４ｃおよび図４ｄに示されるように、Ｌ個の新しい周波数チャネル２１にＫ個の周波数チャネルをマップする。
【００２６】
デマルチプレクサ１６によって逆多重化されたキャリアは、周波数チャネル２０より広いか、または狭い。いくつかの実施形態では、デマルチプレクサ１６のチャネルフィルタは、デマルチプレクサ１６のチャネルフィルタが連続したパスバンドを与えるために増加する隣接チャネルを生成するように設計されている。このことは、多数の周波数チャネルに広がるキャリアを再形成するために使用されうる。ベースバンドキャリア１４の処理は、複数の周波数チャネルに広がって、図５に示されている。デマルチプレクサは、部分的に重なっている複数の狭帯域周波数チャネルに、ブロードバンドキャリア１４をフィルタリングする。成分たる周波数チャネルは、送信されるとともに、信号プロセッサ１７によって一緒にビームフォーミングされる。マルチプレクサ１８内で、処理された周波数チャネル２１は、ブロードバンドキャリア１４を再形成するための数学的に正確にフラットな応答２２を提供するために合計される。
【００２７】
１または２以上のキャリアを有する信号の個々の周波数チャネルのデジタル信号処理中に、干渉信号が取り除かれうる。図６ａおよび図６ｂは、どのようにキャリア１４内の帯域内の干渉信号１５を取り除くかを説明している。干渉除去ユニット１９は、逆多重化された周波数チャネルの信号レベルを監視することによってスペクトル分析機能を提供する。信号レベルが所定のしきい値２２を超えるとき、干渉信号が検出されるとともに、周波数チャネルが無効にされると想定される。所定のしきい値２２は再プログラミング可能である。周波数チャネルを無効にすることは、全ての周波数チャネルの振幅をゼロに設定することによって達成できる。残存する周波数チャネルが処理されるとともに、周波数変換され、かつキャリア１４を再形成するために多重化される。周波数チャネルが、明らかにキャリアよりも狭い場合、無効にされた周波数チャネル中で失われたキャリアの情報は、キャリアを妨害することに対して決定的ではなく、かつキャリアは利用可能なままである。また、干渉信号を含む周波数チャネルを取り除くことによって、キャリアの信号ノイズ比は改善する。その上、干渉を引き起こすものによって他のキャリアから奪っている電力は、減少する。
【００２８】
また、キャリア１４の間の干渉信号は、図７ａおよび図７ｂに示されているように取り除かれうる。干渉除去ユニット１９は、周波数チャネル内の信号レベルを監視し、かつ信号レベルがしきい値２２を超えるとき、干渉信号１５が検出されるとともに、干渉信号を有する全ての周波数チャネルが、無効にされる。残存する周波数チャネルは、処理されるとともに、周波数変換され、キャリア１４を再構成するために多重化される。干渉信号を取り除くことによって、信号ノイズ比が改善されるとともに、キャリアを送信するために利用可能な電力は、干渉信号によって使い果たされることはない。干渉がキャリア間にあるとき、キャリア中のどんな情報も損失しないか、または少しの情報だけしか損失しない。
【００２９】
図６ａ、６ｂ、７ａおよび７ｂの中では、唯一つの周波数チャネルが無効にされていることが示されているが、干渉信号は、多数のチャネルに広がることができるか、または信号は複数の干渉信号を有するとともに、したがって１以上の周波数チャネルが取り除かれる必要がある。
【００３０】
信号レベルしきい値２２は、１または２以上のキャリアを有する典型的な信号の電力プロファイルに基づいている。代わりに、信号内のキャリアの電力プロファイルは、しきい値を決定するために測定される。信号レベルしきい値は、全周波数チャネルに対して同じレベルで固定されるか、または各周波数チャネルに対して個別に決定される。例えば、干渉除去ユニット１９は、所定の時間に対する電力プロファイルを測定するとともに、各周波数チャネルに対して予想される周波数レベル決定する。信号変更レベルしきい値２２は、図６ａおよび図７ａに示されているように、キャリアに関して周波数チャネルの位置に応じて変化する。例えば、周波数チャネルがキャリアの中央に位置する場合、しきい値２２は、周波数チャネルがキャリア間に位置する場合より高い。キャリア内の周波数チャネルに対するしきい値は、最高ゲインを有するキャリアの周波数チャネルの信号レベルよりも高いが、キャリア間の周波数チャネルに対するしきい値は、キャリアの最高の信号レベルよりも低い。信号レベルしきい値２２は、衛星システムの打ち上げより前に格納されるか、またはそのままの状態で再プログラミングされる。信号レベルしきい値はまた、衛星の存続時間の間中、キャリアバンド変更の周波数および振幅として再プログラミングされる。いくつかの実施形態では、しきい値の値は、制御インターフェース１２を介して地上局からプログラミングされる。
【００３１】
本発明は、より広いバンド幅のチャネルが、多数の狭帯域のチャネルに分割されるデジタルプロセッサアーキテクチャを有する任意の衛星ペイロード内で使用されうる。特に、干渉を有する周波数チャネルの除去は、フェーズドアレイ(phased array)または給電反射鏡(fed reflector)を有するデジタルビームフォーミングネットワークアーキテクチャ、または空間的スイッチングアーキテクチャに適用されうる。しかしながら、本発明の応用は、衛星ペイロードに限定されない。本発明は、不要な信号を取り除くことが好ましい任意のシステムで使用されうる。
【００３２】
干渉除去ユニット１９は、信号プロセッサ１７内で制御アルゴリズムとして実現される。制御アルゴリズムは、信号レベルしきい値を有する。あるいは、信号レベルしきい値は、衛星ペイロード中または地上の他の場所に保存されたメモリから引き出される。干渉除去を実行するための制御アルゴリズムは、ハードウェア、ソフトウェア、又はハードウェアとソフトウェアとの組み合わせを使用して実現される。
【００３３】
信号プロセッサ１７内で提供される干渉除去ユニット１９に代わるものとして、デマルチプレクサ１６とプロセッサ１７の間に提供される。干渉除去ユニット１９は、周波数チャネルがデジタル信号プロセッサ１７に転送される前に、周波数チャネル内の振幅をゼロに設定する。さらにもう一つの方法として、干渉除去ユニット１９によって提供される機能は、デマルチプレクサ１６および信号プロセッサ１７の間で共有されている。デマルチプレクサ１６は、周波数チャネルの信号レベルを監視するとともに、信号プロセッサ１７が周波数チャネルを無効にできるように、干渉を有するデジタル信号プロセッサに通知する。加えて、デジタル信号プロセッサがビームフォーミングネットワークを提供する場合、干渉を有する周波数チャネルは、ビーム荷重がビームフォーミング処理の間適用されるとき取り除かれる。
【００３４】
その上、本発明はブロードバンドキャリアに関して記載されているが、干渉除去は、より狭いバンド幅のキャリアに適用されることもできる。周波数チャネルおよび干渉信号がキャリアよりも狭い限り、キャリアによって運ばれる情報のいくらかは、保全されうる。干渉信号が取り除かれるとき、システムは、損失するキャリアの情報量を減らすために、周波数チャネルをより狭くするように設計されている。
【００３５】
本発明の特別な実施形態が記載されている一方で、本発明の範囲は、添付の特許請求の範囲によって明確にされるとともに、前記実施形態に限定されるものではない。したがって、本発明は、当業者によって認識されているように、他の方法において実現されてもよい。
【００３６】
例えば、衛星システムのアナログプリプロセッサ７、アナログデジタル変換器８、デジタルプロセッサ９、デジタルアナログ変換器１０、およびアナログポストプロセッサ１１は、統合プロセッサ内で提供されるように記載されているが、もちろん構成要素が分かれて提供されてもよい。その上、構成要素は、単に本発明を実現するシステムの実例を提供するために記載されており、かつ実例は限定と解釈されるべきではない。
【００３７】
加えて、本発明は衛星システムに関して記載されているが、本発明はデジタル領域内で信号を処理するための任意のシステムで使用されうることは理解されるべきである。
【符号の説明】
【００３８】
１  衛星通信システム
２  受信アンテナサブシステム
３  低ノイズ増幅器
４  統合プロセッサ
５  高パワー増幅器
６  送信アンテナサブシステム
７  アナログプリプロセッサ
８  アナログデジタル変換器
９  デジタルプロセッサ
１０  デジタルアナログ変換器
１１  アナログポストプロセッサ
１２  制御インターフェース
【図１】
2012520593.tif 000003
【図２】
2012520593.tif 000004
【図３】
2012520593.tif 000005
【図４】
2012520593.tif 000006
【図５】
2012520593.tif 000007
【図６】
2012520593.tif 000008
【図７】
2012520593.tif 000009
【国際調査報告】
2012520593.tif 000010
2012520593.tif 000011